(57)【要約】      （修正有）【課題】エンジン部品を適切に潤滑し、エンジン部品の塑性応答を有利に改変するための、環境保全性を高めたモーターオイルブレンド及び関連する方法の提供。【解決手段】このブレンドは、ジアルキルジチオリン酸亜鉛（ＺＤＤＰ）を含まず、またジチオリン酸亜鉛（ＺＤＴＰ）を含まず、グループＩ、グループＩＩ、グループＩＩＩ、グループＩＶ、及びグループＶのモーターオイルからなるモーターオイルの群から選択されるモーターオイル；アルファ−オレフィン、及び水素化異性化され水素化精製されている高度水素化分解基油を含むモーターオイル添加剤；を含み、ＺＤＤＰは、モーターオイルの化学成分から省かれ；また、ＺＤＴＰは、モーターオイルの化学成分から省かれている、モーターオイルブレンド、及び関連する方法。【選択図】なし【特許請求の範囲】
【請求項１】
エンジン部品を適切に潤滑し、且つエンジン部品の塑性応答を有利に改変することによってエンジンの摩耗を減じるための、エンジン内で使用できる、環境保全性を高めたモーターオイルブレンドであって、前記モーターオイルブレンドは環境に有害なジアルキルジチオリン酸亜鉛（ＺＤＤＰ）を含まず、且つ環境に有害なジチオリン酸亜鉛（ＺＤＴＰ）を含まず、そして
モーターオイル、
前記モーターオイルと組み合わせた、アルファ−オレフィンと水素化異性化され水素化精製されている高度水素化分解基油とを含むモーターオイル添加剤
を含み、
ＺＤＤＰが、前記モーターオイルの化学成分から省かれ、
ＺＤＴＰが、前記モーターオイルの化学成分から省かれ、
ＺＤＤＰが、前記モーターオイル添加剤の化学成分から省かれ、且つ
ＺＤＴＰが、前記モーターオイル添加剤の化学成分から省かれており、前記モーターオイルブレンドはＺＤＤＰもＺＤＴＰも含まれていないが、ＺＤＤＰまたはＺＤＴＰを含む組成物に匹敵する、トライボロジーで測定可能な耐摩耗性能を提供する、
モーターオイルブレンド。
【請求項２】
８５体積％から９５体積％の前記モーターオイル、及び
５体積％から１５体積％の前記モーターオイル添加剤
をさらに含む、請求項１に記載のモーターオイルブレンド。
【請求項３】
前記モーターオイル添加剤が、合成スルホネートをさらに含む、請求項１に記載のモーターオイルブレンド。
【請求項４】
前記合成スルホネートが、チキソトロピー性のカルシウムスルホネートを含む、請求項３に記載のモーターオイルブレンド。
【請求項５】
前記アルファ−オレフィンが、重合したアルファ−オレフィンを含む、請求項１に記載のモーターオイルブレンド。
【請求項６】
前記重合したアルファ−オレフィンが、メタロセン重合したアルファ−オレフィンを含む、請求項５に記載のモーターオイルブレンド。
【請求項７】
前記モーターオイル添加剤が、真空蒸留された非芳香族溶媒をさらに含む、請求項１に記載のモーターオイルブレンド。
【請求項８】
前記モーターオイル添加剤が、液状化ポリテトラフルオロエチレン（ＰＴＦＥ）をさらに含む、請求項１に記載のモーターオイルブレンド。
【請求項９】
エンジン部品を適切に潤滑し、且つエンジン部品の塑性応答を有利に改変することによってエンジンの摩耗を減じるための、エンジン内で使用できる、環境保全性を高めたモーターオイルブレンドを製造する方法であって、前記モーターオイルブレンドは、環境に有害なジアルキルジチオリン酸亜鉛（ＺＤＤＰ）を含まず、且つ環境に有害なジチオリン酸亜鉛（ＺＤＴＰ）を含まず、前記方法は、
モーターオイルを準備すること、
前記モーターオイルの化学成分からＺＤＤＰを省くこと、
前記モーターオイルの化学成分からＺＤＴＰを省くこと、
アルファ−オレフィン、及び水素化異性化され水素化精製されている高度水素化分解基油を含むモーターオイル添加剤を、前記モーターオイルと組み合わせて、前記モーターオイルブレンドを生成すること、
前記モーターオイル添加剤の化学成分からＺＤＤＰを省くこと、並びに
前記モーターオイル添加剤の化学成分からＺＤＴＰを省くこと
を含み、前記モーターオイルブレンドはＺＤＤＰもＺＤＴＰも含まれていないが、ＺＤＤＰまたはＺＤＴＰを含む組成物に匹敵する、トライボロジーで測定可能な耐摩耗性能を提供する、
方法。
【請求項１０】
５体積％から１５体積％の前記モーターオイル添加剤を、８５体積％から９５体積％の前記モーターオイルと組み合わせることをさらに含む、請求項９に記載の方法。
【請求項１１】
前記モーターオイル添加剤が、合成スルホネートをさらに含む、請求項９に記載の方法。
【請求項１２】
前記合成スルホネートが、チキソトロピー性のカルシウムスルホネートを含む、請求項１１に記載の方法。
【請求項１３】
前記アルファ−オレフィンが、重合したアルファ−オレフィンを含む、請求項９に記載の方法。
【請求項１４】
前記重合したアルファ−オレフィンが、メタロセン重合したアルファ−オレフィンを含む、請求項１３に記載の方法。
【請求項１５】
前記モーターオイル添加剤が、真空蒸留された非芳香族溶媒をさらに含む、請求項９に記載の方法。
【請求項１６】
前記モーターオイル添加剤が、液状化ポリテトラフルオロエチレン（ＰＴＦＥ）をさらに含む、請求項９に記載の方法。
【請求項１７】
前記アルファ−オレフィンを、前記基油とブレンドして、第１のブレンドを生成すること、
非芳香族溶媒を、合成スルホネートとブレンドして、第２のブレンドを生成すること、及び
前記第１及び第２のブレンドを、液状化ポリテトラフルオロエチレン（ＰＴＦＥ）とブレンドすること
をさらに含む、請求項９に記載の方法。
【請求項１８】
５体積％から１５体積％の前記モーターオイル添加剤を、８５体積％から９５体積％の前記モーターオイルと組み合わせることをさらに含む、請求項１７に記載の方法。
【請求項１９】
前記アルファ−オレフィンを、前記基油とブレンドして、第１のブレンドを生成すること、
非芳香族溶媒を、合成スルホネートとブレンドして、第２のブレンドを生成すること、
前記第１及び第２のブレンドを、さらなる低芳香族脂肪族溶媒とブレンドして、第３のブレンドを生成すること、並びに
前記第１、第２及び第３のブレンドを、液状化ポリテトラフルオロエチレン（ＰＴＦＥ）とブレンドすること
をさらに含む、請求項９に記載の方法。
【請求項２０】
ジアルキルジチオリン酸亜鉛（ＺＤＤＰ）を用いずに、且つジチオリン酸亜鉛（ＺＤＴＰ）を用いずに、エンジン及びエンジン部品を潤滑するための方法であって、
モーターオイルをエンジン内に導入すること、前記モーターオイルでは、その化学成分からＺＤＤＰが省かれ、且つ、前記モーターオイルでは、その化学成分からＺＤＴＰが省かれている、及び
重合したアルファ−オレフィン、及び水素化異性化され水素化精製されている高度水素化分解基油を含むモーターオイル添加剤を前記モーターオイルと組み合わせてエンジン内に導入すること、前記モーターオイル添加剤ではＺＤＤＰがその化学成分から省かれ、且つＺＤＴＰがその化学成分から省かれている、を含み、
前記重合したアルファ−オレフィンと前記水素化異性化され水素化精製されている高度水素化分解基油基油の組合せが、前記エンジン部品を適切に潤滑し、エンジン部品の塑性応答を有利に改変し、
前記モーターオイルブレンドはＺＤＤＰもＺＤＴＰも含まれていないが、ＺＤＤＰまたはＺＤＴＰを含む組成物に匹敵するトライボロジーで測定可能な耐摩耗性能を提供し、且つ
前記ＺＤＤＰ及びＺＤＴＰを省くことの結果として、前記モーターオイルブレンドは環境に有害なＺＤＤＰまたはＺＤＴＰを環境に放出しない
方法。
【請求項２１】
５体積％から１５体積％の前記モーターオイル添加剤、及び８５体積％から９５体積％の前記モーターオイルをエンジン内に導入するステップをさらに含む、請求項２０に記載の方法。
【請求項２２】
前記モーターオイル添加剤が、合成スルホネートをさらに含む、請求項２０に記載の方法。
【請求項２３】
前記合成スルホネートが、チキソトロピー性のカルシウムスルホネートを含む、請求項２２に記載の方法。
【請求項２４】
前記アルファ−オレフィンが、重合したアルファ−オレフィンを含む、請求項２０に記載の方法。
【請求項２５】
前記重合したアルファ−オレフィンが、メタロセン重合したアルファ−オレフィンを含む、請求項２４に記載の方法。
【請求項２６】
前記モーターオイル添加剤が、真空蒸留された非芳香族溶媒をさらに含む、請求項２０に記載のモーターオイルブレンド。
【請求項２７】
モーターオイル添加剤が、液状化ポリテトラフルオロエチレン（ＰＴＦＥ）をさらに含む、請求項２０に記載のモーターオイルブレンド。
【発明の詳細な説明】
【関連出願】
【０００１】
関連出願の相互参照
本出願は、２０１５年４月２９日に出願された係属中の米国特許出願第１４／６９９，９２４号の優先権を主張し、さらに、この出願は、２０１５年１月２９に出願された係属中の米国特許仮出願第６２／１０９，１７２号の利益を主張する。本出願は、また、２０１６年１月２８日に出願された係属中の米国特許仮出願第６２／２８７，９４２号の利益を主張する。前述の出願は、それらの全体が、参照によってここに組み込まれる。
【技術分野】
【０００２】
本発明の分野は、モーターオイルにおける摩耗防止成分としてのジアルキルジチオリン酸亜鉛（ＺＤＤＰ）の必要性をなくすとともに、鋼間摩耗を実質的に減らすための最新技術に関する。本発明の組成物は、鋼の塑性応答を改変し、同時に、摩擦のために摩耗している表面の化学反応性に好ましい影響を与えることが示された。詳細には、米国特許仮出願第６２／１０９，１７２号において詳しく述べられているトライボロジー試験に基づいた、エンジンディスクの摩耗痕の分光分析により、オイル中のＺＤＤＰに由来し得る、Ｐ、Ｓ、Ｍｎ、Ｚｎのような化学元素が検出されなかったことが明らかとなった。これは、この組成物によりＺＤＤＰの反応が妨げられ、摩耗の低減にＺＤＤＰが不要になることを示唆する。
【背景技術】
【０００３】
これは、今日、いくつかの州及び国の中に、モーターオイル中のＺＤＤＰの必要性をなくすか、又は実質的に減らすための動きがあるという理由で、重要である。米国における環境保護主義者は、州と連邦政府の両方の当局に、このような禁止令を制定するように働きかけている。残念ながら、政府は、ＺＤＤＰ自体の必要性をなくすと同時に、ＺＤＤＰと同じか又はより良好な摩耗防止性能の結果を有し得る、費用効率の高い代替が入手可能になるまでは、このような禁止令を出し、施行することに乗り気でない。
【０００４】
実際には、現在使用されているモーターオイルへ一般的に添加されるチオリン酸亜鉛には２つの種類：ジアルキルジチオリン酸亜鉛（これが、本来のＺＤＤＰである）、及び／又はジチオリン酸亜鉛（これは、多くの場合ＺＤＴＰと略される）がある。特に断らなければ、頭字語のＺＤＤＰが本開示において使用される場合、ＺＤＤＰは、ジアルキル基を含んでいてもいなくてもよいこれらのどちらも指すために使用されている。詳細には、本発明の組成物は、本来のＺＤＤＰ、又はＺＤＴＰのいずれもが、これ以上モーターオイルに使用される必要性をなくす。
【０００５】
自動車産業は、初期には、ずっと単純であった。エンジンベアリングは、一般にバビットと呼ばれた、スズ／銅／アンチモンの軟質合金で製造された。この合金は、化学的に比較的不活性であり、少量の異物微粒子材料を吸収する能力を有する。しかし、エンジンの馬力が増加するにつれ、バビット合金表面は、増加した荷重をこれらの表面で支えるには不適切であることが分かった。
【０００６】
こうして、より堅いベアリングの必要が生じ、カドミウム／銀、カドミウム／ニッケル、及び銅／鉛の構成を有する新しい種類のベアリングが開発された。このようなベアリングは、はるかに丈夫であったが、バビットのように化学的に不活性ではなく、オイルの酸化によって生じる酸によって攻撃され得た。これらの新しいベアリングは、ベアリング材料内に、炭素、グリット及び摩耗屑などの異物材料を吸収できず、結果として、オイル濾過の改善が発達し、早すぎる摩耗を減らすために自動車に使用された。
【０００７】
さらに、これらの新しいベアリングを保護するために、ベアリング腐食防止剤、摩耗防止剤及び酸抑制剤化合物が開発された。腐食性と機械的摩耗の両方に対してベアリングを保護する必要があったが、これらの化合物の多くは、両機能を果たした。硫化マッコウ鯨油、有機リン酸塩、ジチオ炭酸塩及びジチオリン酸塩などの化合物が、早すぎる摩耗を減らすために試みられた。１９４１年に、ルーブリゾール（Ｌｕｂｒｉｚｏｌ）社は、ジアルキルジチオリン酸亜鉛（これらは、依然として最も一般的に使用される形態のＺＤＤＰである）を開発し、これらの販売を開始した。
【０００８】
最初、ＺＤＤＰは、ベアリング不動態化剤（金属表面の化学反応性を下げるために、金属を処理又はコーティングするものと定義される）として、０．３体積％未満の低濃度でモーターオイルに添加された。さらに、ＺＤＤＰは、際立って効果的な摩耗防止剤；カムシャフト及びバルブリフター又はタペットなどの、重荷重の鋼間摺動機構のための真の極圧（ＥＰ）添加剤であることが見出された。これらの年月の間、環境へのＺＤＤＰの影響についての何らかの懸念は、あったとしても、極わずかであった。
【０００９】
何年間も、これらのＺＤＤＰ添加剤は、当初の清浄剤を含まないガソリン及びディーゼルモーターオイルで始まって、現在までずっと、十分な摩耗防止の役割を果たしてきた。半世紀よりも前のディーゼルエンジンは、通常低速度で運転され、よりがっしりと組み立てられていたが、同じ摩耗の問題を示さなかった。しかし、ガソリンエンジンでは、バルブトレインは、より高いエンジン速度のために、より激しくストレスを受け、これらの添加剤は、摩耗を減らすのに重要な役割を果たしてきており、また果たし続けている。
【００１０】
現在及び以前のモーターオイルは、ベアリング表面の間、及び鋼間の接触による早すぎる摩耗に対して保護する手段として、ＺＤＤＰの使用に依存している。特に環境へのＺＤＤＰの悪影響を考えると、ＺＤＤＰの必要性をなくすことができ、同時に、同じレベルの保護、それどころか一層良好な保護さえもエンジン部品にもたらす、代わりとなる添加剤を利用可能にすることは望ましいであろう。
【００１１】
Ｒｏｎａｌｄ  Ｊ．  Ｓｌｏａｎに発行され、ＢｅｓｔＬｉｎｅ  Ｉｎｔｅｒｎａｔｉｏｎａｌ  Ｒｅｓｅａｒｃｈ  Ｉｎｃ．（ＢｅｓｔＬｉｎｅ）（これらは、本出願の発明者、及び譲受人でもある）に譲渡されたいくつかの米国及び外国特許の最初のものであった米国特許第７，７４５，３８２号において、重合したアルファ−オレフィン（ＰＡＯ）と、水素化異性化され水素化精製されている高度水素化分解基油と、、合成スルホネートとを含む合成潤滑剤添加剤は、より良好なエンジン潤滑を提供し、エンジンの摩耗を減らし得ること、及び、実際に、そのＰＡＯ及び基油は、自動車用途を含み、また自動車用途にとどまらない様々な多くの状況において有用な広範な潤滑剤のための最も重要な組成物であり、鋼を含め、また鋼を越える様々な多くの材料に適用された場合に最も重要な組成物であり得ることが開示された。これには、ディーゼル燃料添加剤（米国特許第８，０６２，３８８号及びそれに続くもの）、ガソリン添加剤（米国特許第７，９３１，７０４号及びそれに続くもの）、汎用潤滑剤（米国特許第８，０２２，０２０号及びそれに続くもの）、船舶用潤滑剤（米国特許第８，３３４，２４４号及びそれに続くもの）、さらにはゴルフクラブ洗浄剤（米国特許第８，０７１，５２２号及びそれに続くもの）が含まれる。
【００１２】
しかし、米国特許仮出願第６２／１０９，１７２号において詳しく述べられているトライボロジー試験まで、ＢｅｓｔＬｉｎｅの合成潤滑剤添加剤の有効性の根底にあるトライボロジー機構は十分に理解されていなかった。この試験では、このＰＡＯ、基油及び（任意選択による）合成スルホネートの組成物が、潤滑を向上させるだけでなく、この組成物は、調べられた鋼の塑性応答を改変すること、及び摩耗された表面の化学反応性に影響を与えることも見出されることが確認された。特に、上記のように、Ｐ、Ｓ、Ｍｎ、Ｚｎのような元素は、この組成物がＺＤＤＰと共にエンジンオイルに添加された際に検出されなかったので、これは、ＰＡＯ及び基油が代わりに用いられた場合、この組成物によりＺＤＤＰの反応が妨げられ、摩耗を減らすことに対してＺＤＤＰが不要になることを意味する。
【００１３】
したがって、このＰＡＯ、基油、及び任意選択による合成スルホネートの組成物を、モーターオイルに添加し、同時に、ＺＤＤＰ及び／又はＺＤＴＰの全てを、これらのまさに同じモーターオイルから取り除くことが考察され得たのは、米国特許仮出願第６２／１０９，１７２号に最初に開示された新しい理解があってこそであった。こうして、このＰＡＯ、基油、スルホネートの組成物を、全ての形態のＺＤＤＰを取り除くと同時にモーターオイルに添加することは、優れた潤滑によってエンジンの摩耗を減らすだけでなく、また、それが潤滑する全ての鋼元素の塑性応答を有利に改変し、同時に、重要な環境問題を解決もする。
【００１４】
モーターオイルを改善し、同時に、ＺＤＤＰ及びＺＤＴＰによって引き起こされる環境危害を取り除くための、この組成物の使用は、アメリカ石油協会（Ａｍｅｒｉｃａｎ  Ｐｅｔｒｏｌｅｕｍ  Ｉｎｓｔｉｔｕｔｅ（ＡＰＩ））によって定められる、モーターオイルの５つのグループの全てに適用できる。このＡＰＩの分類は、本開示及びそれに付随する特許請求の範囲に、参照によって組み込まれる。詳細には、ｈｔｔｐ：／／ｗｗｗ．ａｐｉ．ｏｒｇ／〜／ｍｅｄｉａ／ｆｉｌｅｓ／ｃｅｒｔｉｆｉｃａｔｉｏｎ／ｅｎｇｉｎｅ−ｏｉｌ−ｄｉｅｓｅｌ／ｐｕｂｌｉｃａｔｉｏｎｓ／ａｐｐｅｎｄｉｘ−ｅ−ｒｅｖ−０９−０１−１１．ｐｄｆ？ｌａ＝ｅｎの、２０１１年９月のＡＰＩ規格は、次にように指定する。
【００１５】
「全てのベースストックは、５つの一般カテゴリーに分けられる。
ａ．グループＩのベースストックは、９０パーセント未満の飽和分、及び／又は０．０３パーセントを超える硫黄を含み、表Ｅ−１に指定された試験方法を用いて、８０以上で１２０未満の粘度指数を有する。
【００１６】
ｂ．グループＩＩのベースストックは、９０パーセント以上の飽和分、及び／又は０．０３パーセント以下の硫黄を含み、表Ｅ−１に指定された試験方法を用いて、８０以上で１２０未満の粘度指数を有する。
【００１７】
ｃ．グループＩＩＩのベースストックは、９０パーセント以上の飽和分、及び／又は０．０３パーセント以下の硫黄を含み、表Ｅ−１に指定された試験方法を用いて、１２０以上の粘度指数を有する。
【００１８】
ｄ．グループＩＶのベースストックは、ポリアルファオレフィン（ＰＡＯ）である。ＰＡＯは、入れ替えＰＡＯが、物理的及び化学的特性において、ＰＡＯ製造業者の元々の仕様に適合する限り、さらなる認定試験なしに、入れ替えできる。代替ストックにおいて、次の重要な特性は、満たされている必要がある。
【００１９】
１）１００℃、４０℃、及び−４０℃での動粘性率
２）粘度指数
３）ＮＯＡＣＫ揮発度
４）流動点
５）不飽和分
ｅ．グループＶのベースストックは、グループＩ、ＩＩ、ＩＩＩ、又はＩＶに含まれない他の全てのベースストックを含む。
【００２０】
【表１】
2019070140.tif 000002
【発明の概要】
【００２１】
鋼の塑性応答を改変するための添加剤及び関連する方法であって、添加剤は、重合したアルファオレフィン；水素化異性化され水素化精製されている高度水素化分解基油；及び任意選択で、合成スルホネートを含む、添加剤及び関連する方法。米国特許仮出願第６２／１０９，１７２号及び本明細書において詳細に記載されるトライボロジー研究は、次のことを結論づける：（１）この添加剤は、添加剤なしの純粋なオイルで認められる摩耗の６％まで、炭素鋼ディスクの摩耗を著しく減らす；（２）摩擦係数のわずかにより良好な経時安定性を除いて、摩擦への添加剤の明白な影響は存在しない；（３）添加剤は、ＺＤＤＰの反応を妨げるようであり、摩耗を減らす目的では、ＺＤＤＰを不要にする。これは、添加剤が、モーターオイルにおけるＺＤＤＰに代わるものであり得ることを示唆する；及び（４）添加剤は、調べられた鋼の塑性応答を改変し、摩耗される表面の化学反応性に影響を与えることが見出された。後日行われることになるので摩擦係数を確定するための試験は行われなかったが、以前の試験は、摩擦が減ることを支持する。
【００２２】
本発明は、鋼間の摩耗に対する、又はベアリングと鋼表面との間の、必要な保護を提供するために、様々な比率で添加できる合成潤滑剤添加剤、並びに、この添加剤の製造に関連する方法、及びその使用に関連する方法に関する。さらに、この添加剤は、合成、合成ブレンド及び非合成のモーターオイル（グループＩからＶの全てのモーターオイル）に添加できて、それらに、今日の高速及び低速ガソリン及びディーゼルモーターオイルに必要な摩耗防止による保護をもたらす。さらに、本発明は、極圧下の鋼が、金属表面の破壊なしに、塑性変形を生じるか、又は塑性変形に応答するようにする。
【００２３】
当該添加剤は、重合したアルファオレフィン（ＰＡＯ）；水素化異性化され水素化精製されている高度水素化分解基油；及び任意選択で、合成スルホネートの使用を含む。さらに、真空蒸留された非芳香族溶媒及び液状化ポリテトラフルオロエチレン（ＰＴＦＥ）を、任意選択で用いることができ、添加剤に特定の順序で混入される時、これは、ＺＤＤＰの金属保護能力及び利点を超えると同時に、環境に優しい代替物をもたらす最終製品を生成する。さらに、この製品は、鋼間の接触に対する保護を提供し、同時に、摩耗される金属表面の化学反応性に好ましく影響を与える。さらに、この製品は、係属中の米国特許仮出願第６２／１０９，１７２号において報告された独立した試験において、極圧下に置かれた鋼の塑性応答を改変する能力を示した。
【００２４】
先に示されたように、この添加剤の成分は、特定の条件下で、非常に特定の順序でブレンドされる時、モーターオイルにおける摩耗防止剤としてのＺＤＤＰの必要性に取って代わるその能力が示された潤滑剤をもたらすことになる。ブレンドすることは、長期間安定なブレンドを生じる、化合物の正確に制御された剪断、及び均質化の組合せである。特定の順序で一旦ブレンドされると、簡単な精製又は物理的分離、例えば、蒸留又は凍結は、例えば、原油から化学反応により合成品のグループＩＩＩ及びグループＩＶを製造する方法での合成法とならない。
【００２５】
最終製品は、
・重合したアルファ−オレフィン
・水素化異性化され水素化精製されている高度水素化分解基油
・任意選択で、合成スルホネート
・任意選択で、真空蒸留された非芳香族溶媒（０．５％未満の芳香族）
・任意選択で、安定な水性分散体（ｄｉｓｂｕｒｓｅｍｅｎｔ）を含む液状化ポリテトラフルオロエチレン（ＰＴＦＥ）
の組合せである。
【００２６】
合成潤滑剤は、しばらく前から、成功裏に使用されている。それらは、非常に高い粘度指数、低い揮発度、優れた耐酸化性、高い熱安定性、優れた温度流動性、及び環境への低い毒性を提供する能力を有する。最終潤滑剤におけるこれらの特徴は、最新の高速及び高馬力エンジンにおいて、非常に重要である。さらに、これらの特徴は、環境に対して毒性が少なく、同時に、自動車部品に最大の保護を提供するという長期目標のためになる。
【００２７】
本発明の合成潤滑剤は、試験された時、モーターオイルにＺＤＤＰを含めることによって現在得られる摩耗防止による保護をもたらし、さらに超える能力を示した。その合成潤滑剤は、自動車、ディーゼル及び船舶用モーターオイルに必要な摩耗防止を提供できるが、ＺＤＤＰの環境への影響なしに提供できる。それは、グループＩ、ＩＩ、ＩＩＩ、ＩＶ及びＶの基油の全てとブレンドされ、有効である能力を有する。
【００２８】
その好ましい実施形態として、エンジン部品を適切に潤滑し、またエンジン部品の塑性応答を有利に改変するための、環境保全性を高めたモーターオイルブレンド、及び関連する方法であり、このブレンドは、ジアルキルジチオリン酸亜鉛（ＺＤＤＰ）を含まず、ジチオリン酸亜鉛（ＺＤＴＰ）を含まず、グループＩ、グループＩＩ、グループＩＩＩ、グループＩＶ、及びグループＶのモーターオイルからなるモーターオイルの群から選択されるモーターオイル；アルファ−オレフィンと、水素化異性化され水素化精製されている高度水素化分解基油とを含むモーターオイル添加剤を含み、ＺＤＤＰがモーターオイルの化学成分から省かれ、ＺＤＴＰもモーターオイルの化学成分から省かれていることが、ここに開示されている。
【発明を実施するための形態】
【００２９】
この添加剤の成分の各々の好ましいブレンド比が、下に示される。以下のパーセンテージ内に入る、成分のブレンドを保つことが重要である。
重合したアルファ−オレフィン（ＰＡＯ）：これらは、２０体積％から６０体積％を占めることが好ましい。これらは、約５５体積％を占めることが最も好ましい。重合されていないアルファ−オレフィン（ＡＯ）もまた使用され得るが、ＰＡＯが好ましい。従来のＰＡＯより大きな粘度指数を有する、最新のメタロセンポリ−アルファ−オレフィン（ｍＰＡＯ）もまた使用され得る。
【００３０】
水素化異性化されている高粘度指数（ＶＩ）の、水素化精製された（ＨＴ）高度水素化分解基油：これらは、５体積％から５５体積％を占めることが好ましい。これらは、７体積％から２５体積％を占めることがより好ましい。これらは、約２１体積％を占めること最もが好ましい。これらの基油が粘度グレード３２を有することが好ましいが、必要とはされない。この基油として、飽和炭化水素、プロセスオイル及び作動油もまた使用され得る。
【００３１】
合成スルホネート：これらは、任意選択の成分であるが、好ましい。使用される場合、これらは、０．０５体積％から１０体積％を占めることが好ましい。これらは、約３体積％を占めることが最も好ましい。これらの合成スルホネートは、２００から６００の全塩基価（ＴＢＮ）を有することが好ましい。これらは、３００ＴＢＮを有することが最も好ましい。チキソトロピー性のカルシウムスルホネートもまた使用され得る。
【００３２】
真空蒸留された低粘度及び低芳香族の溶媒：多くの場合、脂肪族又はミネラルスピリットと呼ばれ、これらは任意選択の成分である。使用される場合、これらは、１０体積％から４０体積％を占めることが好ましい。これらは、約２１．５体積％を占めることが最も好ましくい。低芳香族である範囲は、好ましくは、０．５％未満の芳香族である。これらの溶媒は、これらの化合物を含むことが「大気中でのそれらの低い反応性に起因して、オゾン生成に有意に寄与しないと予想される」として、カリフォルニア大気資源局によって定められるＶＯＣ免除資格（ＶＯＣ  Ｅｘｅｍｐｔｉｏｎ）を有することが好ましい。想定されている低粘度は、４０℃  ｍｍ２／ｓ（ＡＳＴＭ  Ｄ４４５）、並びに２５℃で２．６０ｃＳｔ及び４０℃で１．９８ｃＳｔ（ＡＳＴＭ  Ｄ４４５）の粘度のおおよその範囲にある。
【００３３】
液状化ポリテトラフルオロエチレン（ＰＴＦＥ）：これは、任意選択の成分である。使用される場合、これらは、０．００１体積％から１０体積％を占めることが好ましい。これらは、約０．４５体積％を占めることが最も好ましい。ＰＴＦＥは、塊状化を避けるために液状化されるべきであり、好ましくは、ＰＴＦＥ粒子の安定な水性分散体を、水又はオイル中に含む。オイルが使用される場合、１５０ソルベントニュートラル石油又はそれに近い同等の物を使用することが好ましい。
【００３４】
次に、このモーターオイル添加剤を製造するために、これらの成分をブレンドするための好ましい方法を記載する。
最初に、アルファオレフィン及び基油が、如何なる分離の様子もなく、液体が、むらのない混和物になるまでブレンドされて、第１のブレンドを生じる。ブレンドすることは、撹拌機の速度に基づき、温度は、ブレンドが完了する時間の長さを決めることになる。ブレンド時間の範囲は、４から６時間まで変わり得る。各成分にとって理想的な温度は、最適なブレンドのためには、２２から３０℃の間である。
【００３５】
さらに、真空蒸留された非芳香族溶媒及び合成スルホネートが、一緒にブレンドされて、第２のブレンドを生じる。この第２のブレンドは、ずっと小さい、高速の閉鎖ブレンダーで調製され得る。次いで、この第２のブレンドは、第１のブレンドに添加される。
【００３６】
ＰＴＦＥが使用される場合には、第１及び第２のブレンドが、ＰＴＦＥと一緒に最後にブレンドされる。
低芳香族脂肪族溶媒が使用される場合には、第１及び第２のブレンドは、さらなる低芳香族脂肪族溶媒とブレンドされて、第３のブレンドを生じる。ＰＴＦＥが使用される場合には、上記の全てが、ＰＴＦＥと一緒にブレンドされる。
【００３７】
約２５％／７５％の比のカルシウムスルホネートと脂肪族又はミネラルスピリットとが、これらが使用される場合、存在することが好ましい。
この第３のブレンド、又は合成スルホネートを欠くミネラルスピリット単独が、残りの成分と一緒に、第１のブレンドに添加され、成分がむらのない液体へと十分にブレンドされたように見えるまで、撹拌機が運転される。ブレンドに続いて、製品は、高速剪断ポンプによって、製品にむらがなくなるまで、剪断を加えられる。剪断を加えることによって、ニュートン挙動を示す安定な流動粘性が得られ、各成分の比重に実質的な違いがある場合に、保存寿命が大きく向上する。
【００３８】
このプロセスで使用される好ましいブレンド装置は次の通りである。このプロセスは、製品を秤量でき、次いで、一定の流れ及び圧力を維持するように、制御バルブを通してポンプ輸送できる、いくつかのブレンド用及び貯蔵用タンクを含む。ブレンドは、製品の蒸発ロスを減らし、むき出しのスパークへの暴露を避けるために、閉鎖タンクで行われるべきである。ブレンド装置は、高速又は低速ブレンド機器の組合せによってもよい。タンクの大きさ及び体積は、ブレンドにとって決定的に重要ではない。剪断装置は、６０から５２００サイクル／秒の範囲を有し、３６００サイクル／秒の典型的な速度を有し、オイル成分を有する製品の安定なエマルジョンを製造し、エアレーションなしに液体懸濁液及び分散体を提供できるべきである。
【００３９】
次いで、このモーター添加剤は、ＺＤＤＰ又はＺＤＴＰを使用することなく、グループＩ、グループＩＩ、グループＩＩＩ、グループＩＶ、及びグループＶのモーターオイルからなるモーターオイルの群から選択されるモーターオイルと組み合わされて、エンジン部品を適切に潤滑し、エンジン部品の塑性応答を有利に改変するための、環境保全性を高めたモーターオイルブレンドを与える。好ましいブレンド比は、８５体積％から９５体積％のモーターオイル、及び５体積％から１５体積％のモーターオイル添加剤である。
【００４０】
モーターオイルブレンドを作り出すために、モーターオイル及び添加剤は、一緒に合わされ、次いで、この組合せは、高速ブレンダーで単に混合され、その後、容器に入れられる。モーターオイル及び添加剤の化学的特徴を考えれば、その後、容器入りブレンドが棚に維持されている間、分離は最小限又は全くないはずである、すなわち、モーターオイルブレンドの保存寿命の長さに関わらず、ブレンドは、使用者によってエンジン内に注入される前に、均質なままであるはずである。
【００４１】
好ましい使用形態ではないが、ＺＤＤＰもＺＤＴＰも含まないモーターオイルを用い、潤滑剤を入れることとは別に、それを、エンジン内に入れることができるであろう。しかし、この状況では、使用者は、８５体積％から９５体積％のモーターオイル、及び５体積％から１５体積％のモーターオイル添加剤という最適な混合を保つために注意を払う必要があるであろう。望ましい比で既に組み合わされたブレンドを用いると、この場合、使用者は、モーターオイルと添加剤の比を、望ましい範囲内に保つことに気を付ける必要がなく、使用者が誤りを犯す可能性が排除されるので、好ましい。
【００４２】
背景技術において、先に提示されたＡＰＩによる特性を参照すると、モーターオイルと潤滑剤の組合せは全体として、ＺＤＤＰ又はＺＤＴＰを含まないホストモーターオイルの粘度に応じて、次の特徴を有するであろう。１）いくつかの選ばれた温度で：１００℃、動粘性率１．７から１０２．０；４０℃、動粘性率５．４から１３５０；−４０℃、動粘性率２，７０４から３５，５０９。２）粘度指数：９０から２００。３）ＮＯＡＣＫ揮発度０．６から９９．５。４）流動点−２０までから−６１℃。やはり、これらの範囲は、ホストオイルの粘度に依存する。最後に、５）ＰＡＯ（又はＡＯ又はｍＰＡＯ）ベースは、ＰＡＯ−２からＰＡＯ−１００のＰＡＯ不飽和分粘度グレードを有するべきである。
【００４３】
一般に、モーターオイルブレンドでは、ＰＡＯ−２からＰＡＯ−１０の範囲で十分である。しかし、ＺＤＤＰ及びＺＤＴＰなどの環境に望ましくない化学物質を取り除き、それらを、本開示のアルファ−オレフィン及び基油の添加剤に置き換えることが望ましい他の潤滑用途では、この添加剤が如何に有利に塑性応答を改変し、化学反応性に影響を与えるかに関する、米国特許仮出願第６２／１０９，１７２号に開示された理解を考えれば、下でさらに概略が示される、他の潤滑用途では、ＰＡＯ−１００までの、またそれを含む、より高い領域のアルファ−オレフィンを使用することが望ましいことが分かる。
【００４４】
詳細には、アルファ−オレフィンと、水素化異性化され水素化精製されている高度水素化分解基油との基本組合せは、モーターオイルにおいてだけでなく、これらに限らないが、
・ギアオイル
・オートマチックトランスミッション液
・作動液
・グリース
・タービンオイル及び液
・金属加工油
・チェーンルブ（チェーン用潤滑剤）
・コンプレッサ潤滑剤
・コンベヤー潤滑剤
・製紙機油
・型枠油
・滑り面用油
・ドリルオイル
・絞り及びスタンピングオイル
・バー（ｂａｒ）オイル
・２サイクル油
・スチームオイル
を含む、他の潤滑／摩耗防止剤及び用途においても、環境に望ましくない化学物質の代わりとして使うことができることもわかり、ここに開示される。
【００４５】
この広範な状況において、環境に望ましくない（これらの化学物質は、適切な潤滑を提供し、摩耗に対して保護するために不可欠であると広く考えられている）を省くことができることは、アルファ−オレフィンと、水素化異性化され水素化精製されている高度水素化分解基油とのこの基本組合せが、鋼の塑性応答を改変し、摩擦のために摩耗している表面の化学反応性を変えるので、これらの環境に望ましくない化学物質は、摩耗痕の分光分析では検出されなかったという、米国特許仮出願第６２／１０９，１７２号における開示から生じる。このため、本開示の非常に重要な用途は、これらのモーターオイルを広範囲に使用できること、及びその結果としてのこれらのオイルが及ぼす環境への実質的な影響のために、モーターオイルの用途であるが、塑性応答の同じ有利な改変及び化学反応性の変化は、また、他の多くの用途においても生じ得ることが理解され、これは、本開示が、これらの他の用途にも、特に、液体、潤滑剤及びオイル一般から、適切な潤滑及び摩耗防止による保護にとって不可欠であると広く見なされている、環境に望ましくない化学物質を取り除くことに、有益に適用されることを可能にする。
【００４６】
これに限らないが、本出願により開示された先行技術を含めて、本開示の時点で当業者によって所有されている知識は、たとえ、当業者によって所有されていると理解される特定の知識についての明示的陳述が、簡潔さに重きを置くために、本開示から省かれているとしても、本開示の本質的な部分であると理解されており、参照によって本明細書に暗に組み込まれる。本開示において、複数の要素の組合せを含む発明が参照されていることがあるが、本発明は、１つ又は複数のこのような要素を省く又は除外する組合せを、たとえ、１つ又は複数の要素のこの省略及び除外が、本明細書において、明示的に述べられていないとしても、ある１つの要素が出願人の組合せにとって不可欠であり、省くことができないと本明細書において明示的に述べられているのでなければ、含むと見なされているともまた理解されている。否定的な特許請求の限定によって、たとえ、本明細書にこのような否定的限定の如何なる明示的陳述がないとしても、関連する先行技術から本発明を区別し得る要素を、関連する先行技術は含み得ることが、さらに理解される。本明細書において明示的に述べられた、出願人の発明の肯定的陳述と、たとえ簡潔にするため、ここに明示的に再現されていないとしても、本明細書に組み込まれる先行技術及び当業者による先行技術の知識との間で、先行技術によって支持されるこのような否定的な特許請求の限定のいずれか及び全ては、また、特定の否定的な特許請求の限定について本明細書に明示的陳述が全くないとしても、本開示及びその添付の特許請求の範囲内にあると考えられることが理解されるべきである。
【００４７】
最後に、本発明の特定の好ましい特徴のみが例示され、説明されたが、多くの改変、変更及び置換が当業者には思い浮かぶであろう。したがって、添付の特許請求の範囲は、このような改変及び変更の全てを、本発明の真の趣旨の範囲内に入るとして、含むものとされていることが理解されるべきである。
［発明の態様Ａ］
［１］
エンジン部品を適切に潤滑し、エンジン部品の塑性応答を有利に改変するための、環境保全性を高めたモーターオイルブレンドであって、前記モーターオイルブレンドはジアルキルジチオリン酸亜鉛（ＺＤＤＰ）を含まず、且つジチオリン酸亜鉛（ＺＤＴＰ）を含まず、そして
グループＩ、グループＩＩ、グループＩＩＩ、グループＩＶ、及びグループＶのモーターオイルからなるモーターオイルの群から選択されるモーターオイル、
アルファ−オレフィンと、水素化異性化され水素化精製されている高度水素化分解基油とを含むモーターオイル添加剤
を含み、
ＺＤＤＰが、前記モーターオイルの化学成分から省かれ、且つ
ＺＤＴＰが、前記モーターオイルの化学成分から省かれた
モーターオイルブレンド。
［２］
８５体積％から９５体積％の前記モーターオイル、及び
５体積％から１５体積％の前記モーターオイル添加剤
をさらに含む、１に記載のモーターオイルブレンド。
［３］
前記モーターオイル添加剤が、合成スルホネートをさらに含む、１に記載のモーターオイルブレンド。
［４］
前記合成スルホネートが、チキソトロピー性のカルシウムスルホネートを含む、３に記載のモーターオイルブレンド。
［５］
前記アルファ−オレフィンが、重合したアルファ−オレフィンを含む、１に記載のモーターオイルブレンド。
［６］
前記重合したアルファ−オレフィンが、メタロセン重合したアルファ−オレフィンを含む、５に記載のモーターオイルブレンド。
［７］
前記モーターオイル添加剤が、真空蒸留された非芳香族溶媒をさらに含む、１に記載のモーターオイルブレンド。
［８］
前記モーターオイル添加剤が、液状化ポリテトラフルオロエチレン（ＰＴＦＥ）をさらに含む、１に記載のモーターオイルブレンド。
［９］
エンジン部品を適切に潤滑し、エンジン部品の塑性応答を有利に改変するための、環境保全性を高めたモーターオイルブレンドを製造する方法であって、前記ブレンドは、ジアルキルジチオリン酸亜鉛（ＺＤＤＰ）を含まず、且つジチオリン酸亜鉛（ＺＤＴＰ）を含まず、前記方法は、
グループＩ、グループＩＩ、グループＩＩＩ、グループＩＶ、及びグループＶのモーターオイルからなるモーターオイルの群から選択されるモーターオイルを準備すること、
前記モーターオイルの化学成分からＺＤＤＰを省くこと、
前記モーターオイルの化学成分からＺＤＴＰを省くこと、並びに
アルファ−オレフィン、及び水素化異性化され水素化精製されている高度水素化分解基油を含むモーターオイル添加剤を、前記モーターオイルと組み合わせて、前記モーターオイルブレンドを生成すること
を含む方法。
［１０］
５体積％から１５体積％の前記モーターオイル添加剤を、８５体積％から９５体積％の前記モーターオイルと組み合わせることをさらに含む、９に記載の方法。
［１１］
前記モーターオイル添加剤が、合成スルホネートをさらに含む、９に記載の方法。
［１２］
前記合成スルホネートが、チキソトロピー性のカルシウムスルホネートを含む、１１に記載の方法。
［１３］
前記アルファ−オレフィンが、重合したアルファ−オレフィンを含む、９に記載の方法。
［１４］
前記重合したアルファ−オレフィンが、メタロセン重合したアルファ−オレフィンを含む、１３に記載の方法。
［１５］
前記モーターオイル添加剤が、真空蒸留された非芳香族溶媒をさらに含む、９に記載の方法。
［１６］
前記モーターオイル添加剤が、液状化ポリテトラフルオロエチレン（ＰＴＦＥ）をさらに含む、９に記載の方法。
［１７］
前記アルファ−オレフィンを、前記基油とブレンドして、第１のブレンドを生成すること、
非芳香族溶媒を、合成スルホネートとブレンドして、第２のブレンドを生成すること、及び
前記第１及び第２のブレンドを、液状化ポリテトラフルオロエチレン（ＰＴＦＥ）とブレンドすること
をさらに含む、９に記載の方法。
［１８］
５体積％から１５体積％の前記モーターオイル添加剤を、８５体積％から９５体積％の前記モーターオイルと組み合わせることをさらに含む、１７に記載の方法。
［１９］
前記アルファ−オレフィンを、前記基油とブレンドして、第１のブレンドを生成すること、
非芳香族溶媒を、合成スルホネートとブレンドして、第２のブレンドを生成すること、
前記第１及び第２のブレンドを、さらなる低芳香族脂肪族溶媒とブレンドして、第３のブレンドを生成すること、並びに
前記第１、第２及び第３のブレンドを、液状化ポリテトラフルオロエチレン（ＰＴＦＥ）とブレンドすること
をさらに含む、９に記載の方法。
［２０］
ジアルキルジチオリン酸亜鉛（ＺＤＤＰ）を用いずに、且つジチオリン酸亜鉛（ＺＤＴＰ）を用いずに、エンジン及びエンジン部品を潤滑するための方法であって、
グループＩ、グループＩＩ、グループＩＩＩ、グループＩＶ、及びグループＶのモーターオイルからなるモーターオイルの群から選択されるモーターオイルであって、前記モーターオイルでは、その化学成分からＺＤＤＰが省かれ、且つ、前記モーターオイルでは、その化学成分からＺＤＴＰが省かれている、モーターオイル、
重合したアルファ−オレフィン、及び水素化異性化され水素化精製されている高度水素化分解基油を含むモーターオイル添加剤
をエンジン内に導入することを含み、これによって  前記重合したアルファ−オレフィンと前記基油の組合せが、前記エンジン部品を適切に潤滑し、エンジン部品の塑性応答を有利に改変し、且つ
前記ＺＤＤＰ及びＺＤＴＰを省くことが、環境にも有利な影響を与える
方法。
［２１］
５体積％から１５体積％の前記モーターオイル添加剤、及び８５体積％から９５体積％の前記モーターオイルをエンジン内に導入するステップをさらに含む、２０に記載の方法。
［２２］
前記モーターオイル添加剤が、合成スルホネートをさらに含む、２０に記載の方法。
［２３］
前記合成スルホネートが、チキソトロピー性のカルシウムスルホネートを含む、２２に記載の方法。
［２４］
前記アルファ−オレフィンが、重合したアルファ−オレフィンを含む、２０に記載の方法。
［２５］
前記重合したアルファ−オレフィンが、メタロセン重合したアルファ−オレフィンを含む、２４に記載の方法。
［２６］
前記モーターオイル添加剤が、真空蒸留された非芳香族溶媒をさらに含む、２０に記載のモーターオイルブレンド。
［２７］
モーターオイル添加剤が、液状化ポリテトラフルオロエチレン（ＰＴＦＥ）をさらに含む、２０に記載のモーターオイルブレンド。
［発明の態様Ｂ］
［１］
エンジン部品を適切に潤滑し、エンジン部品の塑性応答を有利に改変するための、環境保全性を高めたモーターオイルブレンドであって、前記モーターオイルブレンドはジアルキルジチオリン酸亜鉛（ＺＤＤＰ）を含まず、且つジチオリン酸亜鉛（ＺＤＴＰ）を含まず、そして
グループＩ、グループＩＩ、グループＩＩＩ、グループＩＶ、及びグループＶのモーターオイルからなるモーターオイルの群から選択されるモーターオイル、
アルファ−オレフィンと、水素化異性化され水素化精製されている高度水素化分解基油とを含むモーターオイル添加剤
を含み、
ＺＤＤＰが、前記モーターオイルの化学成分から省かれ、
ＺＤＴＰが、前記モーターオイルの化学成分から省かれ、
ＺＤＤＰが、前記モーターオイル添加剤の化学成分から省かれ、且つ
ＺＤＴＰが、前記モーターオイル添加剤の化学成分から省かれている
モーターオイルブレンド。
［２］
８５体積％から９５体積％の前記モーターオイル、及び
５体積％から１５体積％の前記モーターオイル添加剤
をさらに含む、１に記載のモーターオイルブレンド。
［３］
前記モーターオイル添加剤が、合成スルホネートをさらに含む、１に記載のモーターオイルブレンド。
［４］
前記合成スルホネートが、チキソトロピー性のカルシウムスルホネートを含む、３に記載のモーターオイルブレンド。
［５］
前記アルファ−オレフィンが、重合したアルファ−オレフィンを含む、１に記載のモーターオイルブレンド。
［６］
前記重合したアルファ−オレフィンが、メタロセン重合したアルファ−オレフィンを含む、５に記載のモーターオイルブレンド。
［７］
前記モーターオイル添加剤が、真空蒸留された非芳香族溶媒をさらに含む、１に記載のモーターオイルブレンド。
［８］
前記モーターオイル添加剤が、液状化ポリテトラフルオロエチレン（ＰＴＦＥ）をさらに含む、１に記載のモーターオイルブレンド。
［９］
エンジン部品を適切に潤滑し、エンジン部品の塑性応答を有利に改変するための、環境保全性を高めたモーターオイルブレンドを製造する方法であって、前記ブレンドは、ジアルキルジチオリン酸亜鉛（ＺＤＤＰ）を含まず、且つジチオリン酸亜鉛（ＺＤＴＰ）を含まず、前記方法は、
グループＩ、グループＩＩ、グループＩＩＩ、グループＩＶ、及びグループＶのモーターオイルからなるモーターオイルの群から選択されるモーターオイルを準備すること、
前記モーターオイルの化学成分からＺＤＤＰを省くこと、
前記モーターオイルの化学成分からＺＤＴＰを省くこと、
アルファ−オレフィン、及び水素化異性化され水素化精製されている高度水素化分解基油を含むモーターオイル添加剤を、前記モーターオイルと組み合わせて、前記モーターオイルブレンドを生成すること、
前記モーターオイル添加剤の化学成分からＺＤＤＰを省くこと、並びに
前記モーターオイル添加剤の化学成分からＺＤＴＰを省くこと
を含む方法。
［１０］
５体積％から１５体積％の前記モーターオイル添加剤を、８５体積％から９５体積％の前記モーターオイルと組み合わせることをさらに含む、９に記載の方法。
［１１］
前記モーターオイル添加剤が、合成スルホネートをさらに含む、９に記載の方法。
［１２］
前記合成スルホネートが、チキソトロピー性のカルシウムスルホネートを含む、１１に記載の方法。
［１３］
前記アルファ−オレフィンが、重合したアルファ−オレフィンを含む、９に記載の方法。
［１４］
前記重合したアルファ−オレフィンが、メタロセン重合したアルファ−オレフィンを含む、１３に記載の方法。
［１５］
前記モーターオイル添加剤が、真空蒸留された非芳香族溶媒をさらに含む、９に記載の方法。
［１６］
前記モーターオイル添加剤が、液状化ポリテトラフルオロエチレン（ＰＴＦＥ）をさらに含む、９に記載の方法。
［１７］
前記アルファ−オレフィンを、前記基油とブレンドして、第１のブレンドを生成すること、
非芳香族溶媒を、合成スルホネートとブレンドして、第２のブレンドを生成すること、及び
前記第１及び第２のブレンドを、液状化ポリテトラフルオロエチレン（ＰＴＦＥ）とブレンドすること
をさらに含む、９に記載の方法。
［１８］
５体積％から１５体積％の前記モーターオイル添加剤を、８５体積％から９５体積％の前記モーターオイルと組み合わせることをさらに含む、１７に記載の方法。
［１９］
前記アルファ−オレフィンを、前記基油とブレンドして、第１のブレンドを生成すること、
非芳香族溶媒を、合成スルホネートとブレンドして、第２のブレンドを生成すること、
前記第１及び第２のブレンドを、さらなる低芳香族脂肪族溶媒とブレンドして、第３のブレンドを生成すること、並びに
前記第１、第２及び第３のブレンドを、液状化ポリテトラフルオロエチレン（ＰＴＦＥ）とブレンドすること
をさらに含む、９に記載の方法。
［２０］
ジアルキルジチオリン酸亜鉛（ＺＤＤＰ）を用いずに、且つジチオリン酸亜鉛（ＺＤＴＰ）を用いずに、エンジン及びエンジン部品を潤滑するための方法であって、
グループＩ、グループＩＩ、グループＩＩＩ、グループＩＶ、及びグループＶのモーターオイルからなるモーターオイルの群から選択されるモーターオイルであって、前記モーターオイルでは、その化学成分からＺＤＤＰが省かれ、且つ、前記モーターオイルでは、その化学成分からＺＤＴＰが省かれている、モーターオイル、
重合したアルファ−オレフィン、及び水素化異性化され水素化精製されている高度水素化分解基油を含むモーターオイル添加剤であって、前記モーターオイル添加剤ではＺＤＤＰがその化学成分から省かれ、且つＺＤＴＰがその化学成分から省かれている、モーターオイル添加剤
をエンジン内に導入することを含み、これによって
前記重合したアルファ−オレフィンと前記基油の組合せが、前記エンジン部品を適切に潤滑し、エンジン部品の塑性応答を有利に改変し、且つ
前記ＺＤＤＰ及びＺＤＴＰを省くことが、環境にも有利な影響を与える
方法。
［２１］
５体積％から１５体積％の前記モーターオイル添加剤、及び８５体積％から９５体積％の前記モーターオイルをエンジン内に導入するステップをさらに含む、２０に記載の方法。
［２２］
前記モーターオイル添加剤が、合成スルホネートをさらに含む、２０に記載の方法。
［２３］
前記合成スルホネートが、チキソトロピー性のカルシウムスルホネートを含む、２２に記載の方法。
［２４］
前記アルファ−オレフィンが、重合したアルファ−オレフィンを含む、２０に記載の方法。
［２５］
前記重合したアルファ−オレフィンが、メタロセン重合したアルファ−オレフィンを含む、２４に記載の方法。
［２６］
前記モーターオイル添加剤が、真空蒸留された非芳香族溶媒をさらに含む、２０に記載のモーターオイルブレンド。
［２７］
モーターオイル添加剤が、液状化ポリテトラフルオロエチレン（ＰＴＦＥ）をさらに含む、２０に記載のモーターオイルブレンド。
【外国語明細書】
2019070140000001.pdf